(57)【要約】【課題】破損防止も可能であると共に、意匠性にも優れ釣人が満足し得るような尻栓を提供する。【解決手段】この尻栓１は、金属製の本体部２と、本体部２の竿元側を覆うように脱着自在に装着されるゴムカバー３とを有する。本体部２の外周面には、ねじ部２ａと、凹入して形成された凹溝２ｂと、周方向外方に突出して形成された鍔部２ｃと、胴部２ｄとが設けられる。ゴムカバー３は、蓋付き略円筒部材であって、筒状の開口からその内部の中空部分に本体部２の凹溝２ｂ，鍔部２ｃ，胴部２ｄを内包する。なお、その蓋には筒状の中空に連通する窓３ａが形成されている。【選択図】      図２
2004222653.tif 000002
【特許請求の範囲】
【請求項１】
釣竿を構成する竿体の竿元側端部に脱着自在に装着される尻栓であって、
金属製の本体部と、前記本体部の竿元側を覆うように脱着自在に装着されるゴムカバー部とを備え、
前記本体部の外周面には、一端側に形成された前記竿体の竿元側端部に螺合するねじ部と、前記ねじ部の他端側に凹入して形成された凹溝と、前記凹溝の他端側に周方向外方に突出して形成された鍔部と、前記鍔部の他端側に形成された胴部とを有し、
前記ゴムカバーは、蓋付き略円筒部材であって、筒状の開口からその内部の中空部分に前記本体部の凹溝，鍔部，胴部を内包しつつ前記本体部に脱着自在に装着されており、且つ、その蓋には前記筒状の中空に連通する窓が形成されている、尻栓。
【請求項２】
前記本体部の胴部はその他端側端面に胴部の径より小径で他端側に突出する小径胴部をさらに有している、請求項１に記載の尻栓。
【請求項３】
前記ゴムカバーは、筒状の開口側端部の外径を釣竿を構成する竿体の竿元側端部の外径に一致させており、筒状の蓋側に至るに従ってその外径が小径化するテーパ面となっている、請求項１又は２に記載の尻栓。
【発明の詳細な説明】
【０００１】
【発明の属する技術分野】
本発明は、釣竿を構成する竿体の竿元側端部に装着される「尻栓」と呼ばれる栓部材に関する。
【０００２】
【従来の技術】
複数の竿体をいわゆる振出形式に連結して構成されている釣竿にあっては、最も竿元側に位置する元竿の竿元側端部に尻栓が脱着自在に装着されている。振出形式に連結した竿体を分解する際に、元竿の尻栓を取り外し、順次穂先側に位置する竿体を元竿の竿元側端部より取り外す。
【０００３】
このような尻栓については多種多様なものが現在までに提供されている。これら従来の尻栓の中の多くのものは、尻栓が釣竿の竿元側端部に装着されており地面や障害物と接触し易いことから、その保護を図るべくゴム製のカバーを尻栓の竿元側端部に装着している（例えば、特許文献１参照）。
【０００４】
【特許文献１】
特開平１１−１８７７８６号公報（図２，図７等）
【０００５】
【発明が解決しようとする課題】
このように竿元側端部にゴムカバーを装着すると、確かに、障害物との接触による破損防止には有効である。しかし、一方で、ゴムカバーの装着によって意匠性に欠ける。即ち、釣竿の尻栓は釣りをおこなっている最中でも釣人の目の届く位置に装着される部分であり、嗜好性の高い釣竿においてはその意匠性を向上させる重要な部分である。このような部材にゴムカバーを単純に装着してしまうと、外観上単なるゴム栓と代わり映えがせず、面白みに欠ける。
【０００６】
本発明の課題は、破損防止も可能であると共に、意匠性にも優れ釣人が満足し得るような尻栓を提供することにある。
【０００７】
【課題を解決するための手段】
発明１の尻栓は、釣竿を構成する竿体の竿元側端部に脱着自在に装着される尻栓であって、金属製の本体部と、本体部の竿元側を覆うように脱着自在に装着されるゴムカバー部とを備えている。この本体部の外周面には、一端側に形成された竿体の竿元側端部に螺合するねじ部と、ねじ部の他端側に凹入して形成された凹溝と、凹溝の他端側に周方向外方に突出して形成された鍔部と、鍔部の他端側に形成された胴部とを有している。一方のゴムカバーは、蓋付き略円筒部材であって、筒状の開口からその内部の中空部分に本体部の凹溝，鍔部，胴部を内包しつつ本体部に脱着自在に装着されており、且つ、その蓋部分には筒状の中空に連通する窓が形成されている。
【０００８】
この尻栓では、金属製の本体部にゴムカバーを装着しているが、ゴムカバーの蓋部分の窓から、ゴムカバーに内包される金属製の本体部が見えるようになっている。本体部はねじ部を竿体に装着するので、ゴムカバーの蓋部分は釣竿の竿元側端面として位置することになり、窓部分から釣人は内部の金属製本体部の端面の金属光沢を良好に視認できる。また、例えば、金属製本体部の端面に模様等を施してもよい。
【０００９】
このような窓を形成すると、ゴムカバーを本体部に装着した際の相互の接触面積が低減することになる。このため、ゴムカバーを本体部に装着した際の周方向乃至軸方向へのズレが生じ易くなる。この本体部は凹溝，鍔部，胴部が外周面に形成されており、これらがゴムカバーのズレを抑える。特に、鍔部，胴部が本体部の他端側においてその外周面を２段階構造としており、ゴムカバーのズレが生じにくい。
【００１０】
発明２の尻栓は、発明１の尻栓であり、本体部の胴部はその他端側端面に胴部の径より小径で他端側に突出する小径胴部をさらに有している。
この尻栓では、本体部の鍔部，胴部，さらに小径胴部が本体部の他端側においてその外周面を３段階構造としており、さらにゴムカバーのズレが生じにくい。
発明３の尻栓は、発明１又は２の尻栓であって、ゴムカバーは、筒状の開口側端部の外径を釣竿を構成する竿体の竿元側端部の外径に一致させており、筒状の蓋側に至るに従ってその外径が小径化するテーパ面となっている。
【００１１】
この尻栓の本体部のねじ部を釣竿の竿体の竿元側端面に螺着すると、ゴムカバー部分のみが竿体の外部に露出している状態となる。外部に露出している部分の径方向周面全体にゴムカバーが存在することで、障害物への接触による破損が生じにくい。また、ゴムカバーの外径が所定の径に設定されており、竿体から連続的に外形線が形成されるので、意匠性に優れる。
【００１２】
【発明の実施の形態】
以下、本発明の１つの実施形態を採用した尻栓１について、図面を参照しつつ説明する。
図１及び図２に示すように、この尻栓１は、釣竿の最も竿元側に位置する元竿Ｒの竿元側端部に脱着自在に装着されている。具体的には、元竿Ｒの竿元側端部内周面に直接形成されたナット部分若しくは別途装着されたナット部材に、尻栓１が螺着するようになっている。
【００１３】
尻栓１は、金属製の本体部２と、本体部２に脱着自在に装着されるゴムカバー３とからなる。
本体部２は、例えば、スチール，チタン，アルミニウム，マグネシウム，及びこれらの合金などの金属素材から形成されており、一端側が開口した他端側が閉塞している蓋付き円筒型部材である。図２に詳しく示すように、その外周面は、一端側（元竿Ｒに装着される側：以下「穂先側」と称する）から、元竿Ｒの竿元側端部に螺合するネジ部２ａと、ネジ部２ａの他端側（以下「竿元側」と称する）に隣接して形成されている凹溝２ｂと、凹溝２ｂの竿元側に隣接して周方向外方に突出して形成された鍔部２ｃと、鍔部２ｃの竿元側に隣接して形成された胴部２ｄとに区分される。なお、この実施形態では、軽量化のために本体部２を円筒型の中空部材とした場合を例示しているが、本体部２は中実の円筒型部材としてもよい。
【００１４】
ねじ部２ａは本体部２の周面を彫り込んでねじ溝を形成した部分である。上述の元竿Ｒに螺着する。凹溝２ｂも本体部２の周面を彫り込む等して形成した部分である。全周方向にわたって凹入している。鍔部２ｃはねじ部２ａより大径に周方向外方に突出している。この鍔部２ｃも全周方向にわたって存在する。鍔部２ｃの外周面には、軸方向に対して左右双方に斜行した格子状の溝を形成し、又は、軸方向に延びるローレット溝を周方向にわたって複数形成してもよい。これらのローレット溝はゴムカバー３の周方向への滑り止めを図るものである。胴部２ｄは凹溝２ｂの外径よりもさらに小径の部分である。その軸方向長さは鍔部２ｃの軸方向長さの半分程度の長さに設定される。
【００１５】
また、図３に拡大して示すように、胴部２ｄの竿元側の端面にあっては、さらに胴部２ｄの径より小径で竿元側に突出する小径胴部２ｅが形成される。小径胴部２ｅの径は凡そ胴部２ｄの径の半分ほどに設定される。小径胴部２ｅの軸方向長さは胴部２ｄの２０分の１〜１０分の１程度である。この小径胴部２ｅと胴部２ｄとの段差は軸方向において径の変化するテーパ面とするのが好ましい。何故なら、後の詳しく説明するゴムカバー３を本体部２に装着した際に、仮にゴムカバー３側に型抜き加工時のバリが生じていても、この段差をテーパ面としておくことでバリが吸収され得る。また、ゴムカバー３の形状・大きさに多少のエラーがあっても、ゴムカバー３を本体部２に装着したときにゴムカバー３が浮き上がり難く、不要な隙間が生じ難くなる。
【００１６】
さらに、小径胴部２ｅの竿元側端面は穂先側に凹入する凹入面が任意に設けられる。この凹入面部分が後述のゴムカバー３の窓３ａによって視認できる部分となる。この凹入面部分には、釣竿の製品名などを印刷若しくは彫り込んで記載してもよい。
ゴムカバー３は、ウレタンゴム，ＮＢＲゴム等のゴム素材から形成される略円筒型の部材である。穂先側において開口しており、竿元側において蓋がある。ゴムカバー３の内部の中空は、開口から本体部２の凹溝２ｂ，鍔部２ｃ，胴部２ｄ乃至小径胴部２ｅを内包するように、それぞれの部位の形状に合わせて形成されている（図２参照）。また、このゴムカバー３の竿元側の蓋には中空に連通する窓３ａがある。窓３ａは上述の本体部２の凹入面部分に相当する程度の口径を有する。その口径は竿元側ほど口径が大きくなるようなテーパ径としてもよい。
【００１７】
また、このゴムカバー３の外径は、開口側端部の外径を元竿Ｒの竿元側端部の外径に一致させており、筒状の蓋側に至るに従ってその外径が小径化するテーパ面となっている。特に、竿元側においては曲面化するカーブを描いている。
このような構造の尻栓１は、本体部２の穂先側のねじ部２ａを元竿Ｒに装着して用いられる。ねじ部２ａを元竿Ｒに螺着させると、ゴムカバー３の開口周縁が元竿Ｒの竿元側端面に当接することになり、元竿Ｒの竿元側端面の保護にも資する。また、尻栓１の本体部２のねじ部２ａを元竿Ｒに螺着すると、ゴムカバー３のみが元竿Ｒの外部に露出している状態となる。外部に露出している部分の径方向周面全体にゴムカバー３が存在することで、障害物への接触による破損が生じにくい。なお、ゴムカバー３の外径は所定の径に設定されており、元竿Ｒから連続的に外形線が形成されるので、意匠性にも優れたものとなっている。
【００１８】
また、この尻栓１は金属製の本体部２にゴムカバー３を装着しているが、ゴムカバー３の竿元側端部の蓋部分の窓３ａから、ゴムカバー３に内包される金属製の本体部２の竿元側端面が見えるようになっている。ゴムカバー３の蓋部分は元竿Ｒの竿元側端面として位置するので、窓３ａから釣人は内部の金属製本体部２の端面の金属光沢を良好に視認できる。
【００１９】
さらに、この本体部２は凹溝２ｂ，鍔部２ｃ，胴部２ｄさらに小径胴部２ｅが形成されており、これらがゴムカバー３を本体部２に装着している際の軸方向乃至周方向のズレを抑えている。特に、鍔部２ｃ，胴部２ｄさらに小径胴部２ｅが本体部２の竿元側においてその外周面を３段階構造としており、ゴムカバー３のズレが生じにくい。
【００２０】
なお、この実施形態では、本体部２に小径胴部２ｅを形成した例を示しているが、必ずしもこれを必須とするものではない。
また、例えば、振出形式の釣竿では、最も手元側に位置する元竿内に穂先側の竿体を収納することになる。このため、元竿の竿元側端部に装着する尻栓の本体部２が中空である場合、元竿内に収納されてくる竿体の当て止めが必要となる。そこで、図４に示すように、当てゴム１０を本体部２の穂先側端面に装着してもよい。
【００２１】
【発明の効果】
本発明に係る尻栓は、障害物との接触による破損防止も可能であると共に、意匠性にも優れる。
【図面の簡単な説明】
【図１】本発明の１つの実施形態を採用した尻栓１を示した図。
【図２】図１の尻栓１の断面図。
【図３】尻栓１の竿元側端部の胴部２ｄの拡大図。
【図４】他の実施形態を示した図。
【符号の説明】
１  尻栓
２  本体部
３  ゴムカバー
Ｒ  元竿
【図１】
2004222653.tif 000003
【図２】
2004222653.tif 000004
【図３】
2004222653.tif 000005
【図４】
2004222653.tif 000006